(57)【要約】      （修正有）【課題】施錠用操作棒の屈曲変形や支持部材そのものの破損を防止する、配電盤用扉施錠装置を提供する。【解決手段】正面扉５の前面に回動可能に設けられた扉開閉用のレバーと、正面扉の内側に設けられ、レバーと一体に回動する施錠用舌片８と、施錠用舌片の両端にそれぞれ枢着結合され、レバーの回動に連動してそれぞれ上下動する上下一対の施錠用操作棒９、１０と、正面扉の内側に固定され、上下一対の施錠用操作棒の先端部をそれぞれ配電盤２の本体フレームの鎖錠位置に案内するための上下一対の支持部材１１、１２と、を備えている。支持部材は、それぞれ、矩形状の立上り板部と、立上り板部の上下両端辺に繋がる上下一対の矩形状の水平板部と、を有するコの字型平板からなっており、水平板部には、施錠用操作棒がそれぞれ遊挿される貫通孔が形成されている。【選択図】図２
0003234496.tif 000002
【実用新案登録請求の範囲】
【請求項１】
扉の前面に回動可能に設けられた扉開閉用の把手と、前記扉の内側に設けられ、前記把手と一体に回動する施錠用舌片と、前記施錠用舌片に結合され、前記把手の回動に連動してそれぞれ上下に移動する上下一対の施錠用操作棒と、前記扉の内側に固定され、前記上下一対の施錠用操作棒の先端部をそれぞれ配電盤の本体フレームの鎖錠位置に案内するための上下一対の支持部材と、を備えた配電盤用扉施錠装置であって、
前記上下一対の支持部材は、それぞれ、上下方向に所定の間隔を空けて配置された複数の支持部材構成材を有することを特徴とする配電盤用扉施錠装置。
【請求項２】
前記複数の支持部材構成材には、それぞれ、前記施錠用操作棒が遊挿される貫通孔が形成されている、請求項１に記載の配電盤用扉施錠装置。
【請求項３】
前記支持部材は、立上り板部と、前記立上り板部の上下両端辺に繋がる前記支持部材構成材としての上下一対の水平板部と、を有するコの字型平板からなる、請求項１又は２に記載の配電盤用扉施錠装置。
【考案の詳細な説明】
【技術分野】
【０００１】
本考案は、配電盤用扉を閉鎖・施錠する配電盤用扉施錠装置に関する。更に詳細には、本考案は、例えば、屋外に設置され、強風の影響を受ける配電盤用収納筐体（キュービクル）に好適に装着して使用される配電盤用扉施錠装置に関する。
【背景技術】
【０００２】
従来、配電盤用扉施錠装置としては、例えば、特許文献１等に開示された構成のものが知られている。
特許文献１に開示された配電盤用扉施錠装置は、扉の前面に回動可能に設けられた扉開閉用の把手と、前記扉の内側に設けられ、前記把手と一体に回動する施錠用舌片と、前記施錠用舌片に結合され、前記把手の回動に連動してそれぞれ上下に移動する上下一対の施錠用操作棒と、前記上下一対の施錠用操作棒の先端部をそれぞれ配電盤の本体フレームの鎖錠位置に案内するための上下一対の支持部材と、を備えている。特許文献１に開示された配電盤用扉施錠装置において、前記上下一対の支持部材は、それぞれ、矩形状の立上り板部と、前記立上り板部の上端辺に繋がる矩形状の水平板部と、を有するＬ字型平板からなり、前記水平板部に前記施錠用操作棒が遊挿される貫通孔が形成されている。そして、前記各支持部材は、前記立上り板部を前記扉の内側の上端及び下端の近くにビス止めすることによって固定されている。
【先行技術文献】
【特許文献】
【０００３】
【特許文献１】実全平０４−０３９００５号公報
【考案の概要】
【考案が解決しようとする課題】
【０００４】
ところで、屋外に設置される配電盤においては、配電設備を収納するキュービクル（筐体）の換気孔等から強風が入り込み、扉が内側から押圧されることも考えられる。
そして、特許文献１に開示された配電盤用扉施錠装置では、各施錠用操作棒が、実質一枚の水平板部だけで（ほぼ一点で）支持されているため、扉が内側から押圧されると、支持部材部分で施錠用操作棒が屈曲変形したり、支持部材そのものが破損し外れたりして、施錠装置としての機能を果たさなくなる虞がある。
【０００５】
本考案は、従来技術における前記課題を解決するためになされたものであり、配電設備を収納するキュービクル（筐体）の換気孔等から強風が入り込み、扉が内側から押圧されても、施錠用操作棒の屈曲変形や支持部材そのものの破損を防止することが可能となる配電盤用扉施錠装置を提供することを目的とする。
【課題を解決するための手段】
【０００６】
前記目的を達成するため、本考案に係る配電盤用扉施錠装置の構成は、
（１）扉の前面に回動可能に設けられた扉開閉用の把手と、前記扉の内側に設けられ、前記把手と一体に回動する施錠用舌片と、前記施錠用舌片に結合され、前記把手の回動に連動してそれぞれ上下に移動する上下一対の施錠用操作棒と、前記扉の内側に固定され、前記上下一対の施錠用操作棒の先端部をそれぞれ配電盤の本体フレームの鎖錠位置に案内するための上下一対の支持部材と、を備えた配電盤用扉施錠装置であって、
前記上下一対の支持部材は、それぞれ、上下方向に所定の間隔を空けて配置された複数の支持部材構成材を有することを特徴とする。
【０００７】
本考案の配電盤用扉施錠装置の上記（１）の構成は、以下のような作用効果を奏する。
すなわち、上記（１）の構成によれば、各施錠用操作棒が、複数の支持部材構成材で（複数点で）支持されることとなるため、扉が施錠された状態で内側から押圧されても、施錠用操作棒が屈曲変形することを抑えることができる。また、扉と施錠用操作棒との間に掛かる力が、複数の支持部材構成材に分散されるため、支持部材そのものが破損し外れることを抑えることができる。
したがって、上記（１）の構成によれば、配電設備を収納するキュービクル（筐体）の換気孔等から強風が入り込み、扉が内側から押圧されても、施錠用操作棒の屈曲変形や支持部材そのものの破損を防止することが可能となる配電盤用扉施錠装置を提供することができる。
【０００８】
本考案の配電盤用扉施錠装置の上記（１）の構成においては、以下の（２），（３）のような構成にすることが好ましい。
【０００９】
（２）上記（１）の構成において、前記複数の支持部材構成材には、それぞれ、前記施錠用操作棒が遊挿される貫通孔が形成されている。
【００１０】
上記（２）の好ましい構成によれば、把手の回動に連動させて施錠用操作棒をスムーズに上下動させることが可能となる。
【００１１】
（３）上記（１）又は（２）の構成において、前記支持部材は、立上り板部と、前記立上り板部の上下両端辺に繋がる前記支持部材構成材としての上下一対の水平板部と、を有するコの字型平板からなる。
【００１２】
上記（３）の好ましい構成によれば、簡単な構成で上記作用効果を奏する支持部材を実現することが可能となる。
【考案の効果】
【００１３】
本考案によれば、配電設備を収納するキュービクル（筐体）の換気孔等から強風が入り込み、扉が内側から押圧されても、施錠用操作棒の屈曲変形や支持部材そのものの破損を防止することが可能となる配電盤用扉施錠装置を提供することができる。
【図面の簡単な説明】
【００１４】
【図１】本考案の一実施形態における配電盤用扉施錠装置を備えた配電盤の外観構成を示す斜視図
【図２】本考案の一実施形態における配電盤用扉施錠装置を備えた配電盤の一方の正面扉を開いた状態を示す斜視図
【図３】本考案の一実施形態における配電盤用扉施錠装置の支持部材周りの構成を拡大して示した斜視図
【考案を実施するための形態】
【００１５】
以下、好適な実施形態を用いて本考案を更に具体的に説明する。但し、下記の実施形態は本考案を具現化した例に過ぎず、本考案はこれに限定されるものではない。
【００１６】
［配電盤の全体構成］
まず、本考案の一実施形態における配電盤用扉施錠装置を備えた配電盤の全体構成について、図１，図２を参照しながら説明する。
【００１７】
図１は、本考案の一実施形態における配電盤用扉施錠装置を備えた配電盤の外観構成を示す斜視図、図２は、当該配電盤の一方の正面扉を開いた状態を示す斜視図である。
【００１８】
図１，図２に示すように、本実施形態における配電盤用扉施錠装置１を備えた配電盤２は、配電設備（図示せず）を収納するキュービクル（筐体）３を備えている。キュービクル３は、正面板３ａと、背面板３ｂと、左右の側面板３ｃ，３ｄと、天板３ｅと、底面板３ｆと、を有している。
ここで、正面板３ａは、左右方向に片開きする左右の２つの正面扉４，５からなっており、これら２つの正面扉４，５は、それぞれ、レバー（把手）４ａ，５ａを回動操作することによって（図１の両矢印Ａ，Ｂを参照）解錠及び施錠ができるようにされている。より具体的に説明すると、キュービクル３の前面（正面）中央には支柱３ｇが立設されており、当該支柱３ｇに正面扉４の右側縁がヒンジ結合されている。また、正面扉５は、その右側縁がキュービクル３の前面（正面）右側縁にヒンジ結合されている。
【００１９】
正面扉４，５には、それぞれ、上方に位置して、外部から内部を点検するための点検窓４ｂ，５ｂが設けられている。点検窓４ｂ，５ｂには、それぞれ、周縁に防水処理が施された網入り強化透明ガラスが取り付けられている。また、右側の正面扉５には、下方に位置して、吸気口６が設けられており、当該吸気口６には、雨水やゴミなどの異物の侵入を防ぐための通気ギャラリ７が取り付けられている。また、天板３ｅには、排気口（図示せず）が設けられている。
【００２０】
［配電盤用扉施錠装置の構成］
次に、本考案の一実施形態における配電盤用扉施錠装置の構成について、図３をも参照しながら説明する。
【００２１】
図３は、本考案の一実施形態における配電盤用扉施錠装置の支持部材周りの構成を拡大して示した斜視図である。
【００２２】
図１乃至図３に示すように、本実施形態における配電盤用扉施錠装置１は、正面扉５の前面に回動可能に設けられた扉開閉用のレバー（把手）５ａと、正面扉５の内側に設けられ、レバー５ａと一体に回動する施錠用舌片８と、施錠用舌片８の両端にそれぞれ枢着結合され、レバー５ａの回動に連動してそれぞれ上下に移動する上下一対の施錠用操作棒（ロット棒）９，１０と、正面扉５の内側に固定され、上下一対の施錠用操作棒９，１０の先端部をそれぞれ配電盤２の天板３ｅ及び底面板３ｆの正面側縁部（配電盤２の本体フレーム）の鎖錠位置に的確に案内するための上下一対の支持部材１１，１２と、を備えている。
正面扉４側の配電盤用扉施錠装置についても、同様である。
【００２３】
支持部材１１，１２は、それぞれ、矩形状の立上り板部１３と、立上り板部１３の上下両端辺に繋がる上下一対の矩形状の水平板部（支持部材構成材）１４ａ，１４ｂと、を有するコの字型平板からなっている。水平板部１４ａ，１４ｂには、それぞれ、施錠用操作棒９，１０がそれぞれ遊挿される貫通孔１５ａ，１５ｂが形成されている。そして、支持部材１１，１２は、立上り板部１３を正面扉４，５の内側の上端及び下端の近くにビス止めすることによって固定されている。
【００２４】
本実施形態の配電盤用扉施錠装置１のかかる構成は、以下のような作用効果を奏する。
すなわち、かかる構成によれば、各施錠用操作棒９，１０が、上下一対の水平板部（支持部材構成材）１４ａ，１４ｂで（ニ点で）支持されることとなるため、正面扉４，５が施錠された状態で内側から押圧されても、施錠用操作棒９，１０が屈曲変形することを抑えることができる。また、正面扉４，５と施錠用操作棒９，１０との間に掛かる力が、上下一対の水平板部（支持部材構成材）１４ａ，１４ｂに分散されるため、支持部材１１，１２そのものが破損し外れることを抑えることができる。
したがって、かかる構成によれば、配電設備を収納するキュービクル（筐体）３の排気口等の換気孔等から強風が入り込み、正面扉４，５が内側から押圧されても、施錠用操作棒９，１０の屈曲変形や支持部材１１，１２そのものの破損を防止することが可能となる配電盤用扉施錠装置１を提供することができる。
また、水平板部１４ａ，１４ｂのそれぞれに、施錠用操作棒９，１０がそれぞれ遊挿される貫通孔１５ａ，１５ｂが形成されていることにより、レバー（把手）４ａ，５ａの回動に連動させて施錠用操作棒９，１０をスムーズに上下動させることが可能となる。
【００２５】
［配電盤用扉施錠装置の動作］
次に、本考案の一実施形態における配電盤用扉施錠装置の動作について、図１〜図３を参照しながら説明する。
【００２６】
まず、図２に示す状態から、右側の正面扉５を閉める。このとき、扉開閉用のレバー（把手）５ａは、水平右向きの状態（解錠状態）となっている。
次いで、正面扉５の扉開閉用のレバー５ａを、時計回りに９０°回動させて（図１の矢印Ｂを参照）、鉛直下向きの状態（図１の状態）にする。すると、施錠用舌片８がレバー５ａと一体に回動して、上側の施錠用操作棒９が上方向に移動すると共に（図２の矢印Ｃを参照）、下側の施錠用操作棒１０が下方向に移動し（図２の矢印Ｅを参照）、施錠用操作棒９，１０の先端部がそれぞれ配電盤２の天板３ｅ及び底面板３ｆの正面側縁部（配電盤２の本体フレーム）の鎖錠位置に係合される。そして、これにより、正面扉５が施錠状態となる（図１の状態）。
左側の正面扉４についても、同様である。
【００２７】
このように、左右の正面扉４，５が施錠状態にあるとき、各施錠用操作棒９，１０は、上下一対の水平板部（支持部材構成材）１４ａ，１４ｂで（ニ点で）支持されることとなる。このため、配電設備を収納するキュービクル（筐体）３の排気口等の換気孔等から強風が入り込み、正面扉４，５が内側から押圧されても、施錠用操作棒９，１０が屈曲変形することはない。また、正面扉４，５と施錠用操作棒９，１０との間に掛かる力が、上下一対の水平板部（支持部材構成材）１４ａ，１４ｂに分散されるため、支持部材１１，１２そのものが破損し外れたりすることもない。
したがって、配電盤用扉施錠装置１に、常に、施錠装置としての機能を果たさせることができる。
【００２８】
図１に示す状態から、右側の正面扉５を開く場合には、まず、正面扉５の扉開閉用のレバー５ａを、反時計回りに９０°回動させて（図１の矢印Ａを参照）、水平右向きの状態にする。すると、施錠用舌片８がレバー５ａと一体に回動して、上側の施錠用操作棒９が下方向に移動すると共に（図２の矢印Ｄを参照）、下側の施錠用操作棒１０が上方向に移動し（図２の矢印Ｆを参照）、施錠用操作棒９，１０の先端部がそれぞれ配電盤２の天板３ｅ及び底面板３ｆの正面側縁部（配電盤２の本体フレーム）の鎖錠位置から外れる。そして、これにより、正面扉５が解錠状態となり、正面扉５を開くことが可能となる。
左側の正面扉４についても、同様である。
【００２９】
なお、本実施形態においては、支持部材１１，１２が、それぞれ、矩形状の立上り板部１３と、立上り板部１３の上下両端辺に繋がる上下一対の矩形状の水平板部（支持部材構成材）１４ａ，１４ｂと、を有するコの字型平板からなっている場合を例に挙げて説明した。しかし、本考案は必ずしもこのような構成に限定されるものではない。支持部材は、上下方向に所定の間隔を空けて配置された複数の支持部材構成材を有するものであればよい。但し、本実施形態の支持部材１１，１２であれば、簡単な構成で上記作用効果を奏する支持部材を実現することが可能となる。
【００３０】
また、本実施形態においては、支持部材１１，１２が、立上り板部１３を正面扉４，５の内側の上端及び下端の近くにビス止めすることによって固定されている場合を例に挙げて説明した。しかし、本考案は必ずしもこのような構成に限定されるものではない。支持部材は、扉の内側の上端及び下端の近くに、例えば、溶接固定されていてもよい。
【００３１】
また、本実施形態においては、正面板３ａが、左右方向に片開きする２つの正面扉４，５からなっている場合を例に挙げて説明した。しかし、本考案は必ずしもこのような構成に限定されるものではない。正面板は、例えば、左右両方向の観音開きに開閉する左右の正面扉からなっていてもよい。また、背面板も、正面板と同様の、扉と配電盤用扉施錠装置を有する構成とすることができる。
【符号の説明】
【００３２】
１  配電盤用扉施錠装置
２  配電盤
３  キュービクル（筐体）
３ａ  正面板
３ｂ  背面板
３ｃ，３ｄ  側面板
３ｅ  天板
３ｆ  底面板
４，５  正面扉
４ａ，５ａ  レバー（把手）
４ｂ，５ｂ  点検窓
６  吸気口
７  通気ギャラリ
８  施錠用舌片
９，１０  施錠用操作棒（ロット棒）
１１，１２  支持部材
１３  立上り板部
１４ａ，１４ｂ  水平板部（支持部材構成材）
１５ａ，１５ｂ  貫通孔
【図１】
0003234496.tif 000003
【図２】
0003234496.tif 000004
【図３】
0003234496.tif 000005